(57)【特許請求の範囲】
【請求項１】
上部フレームと下部フレームと上部フレーム及び下部フレームの四隅部を相互に連結する連結部材とにより枠組みしたフレーム内にシュラウドを構成する複数の冷却管を配置した宇宙環境装置用シュラウド装置において、
前記フレームを内部を冷却流体が流通可能な金属パイプで形成し、
前記シュラウドの冷却流体入口部から前記フレームの冷却流体出口に至る一つの連続した一筆書き状態の冷却流体流路を形成し、
前記複数の冷却管、前記上部フレーム及び前記下部フレームを前記冷却流体の流れ方向に対して下り勾配のない水平方向に配置した
ことを特徴とする宇宙環境装置用シュラウド装置。
【請求項２】
前記一つの連続した一筆書き状態の冷却流体流路は、前記複数の冷却管を連結した冷却管内流路と、前記フレームの金属パイプ内流路と、前記冷却管内流路と前記金属パイプ内流路とを接続する接続管とにより形成されていることを特徴とする請求項１記載の宇宙環境装置用シュラウド装置。
【発明の詳細な説明】
【技術分野】
【０００１】
本発明は、宇宙環境装置用シュラウド装置に関し、詳しくは、宇宙環境を模擬した冷暗黒環境で人工衛星などの供試体の試験を行う宇宙環境試験装置（スペースチャンバー）内に設置されるシュラウドに関する。
【背景技術】
【０００２】
宇宙環境装置は、真空容器の内部にシュラウドと呼ばれる熱吸収壁を設置し、該シュラウドを液体窒素により冷却するとともに、真空容器の内部を真空ポンプで排気することにより、真空容器内に宇宙の冷暗黒及び高真空を模擬し、宇宙区間で使用する人工衛星などの供試体の試験を行うものである。前記シュラウドとして、直方体状に枠組みしたフレーム内にシュラウドを構成する複数の冷却管を配置したものが知られている（例えば、特許文献１参照。）。
【先行技術文献】
【特許文献】
【０００３】
【特許文献１】特開２００５−２５７４５２号公報
【発明の概要】
【発明が解決しようとする課題】
【０００４】
しかし、フレーム内にシュラウドを配置した構造では、フレームからの伝熱、輻射の影響を避けて供試体を十分に冷却するためには、大量の液体窒素をシュラウドに供給する必要があった。このため、液体窒素の消費量が多くなり、試験コストの上昇を招くという問題があった。
【０００５】
そこで本発明は、シュラウドを配置したフレームを効率よく冷却することができ、フレームからの伝熱、輻射の影響を防止するとともに、液体窒素の消費量も低減することができる宇宙環境装置用シュラウド装置を提供することを目的としている。
【課題を解決するための手段】
【０００６】
上記目的を達成するため、本発明の宇宙環境装置用シュラウド装置は、上部フレームと下部フレームと上部フレーム及び下部フレームの四隅部を相互に連結する連結部材とにより枠組みしたフレーム内にシュラウドを構成する複数の冷却管を配置した宇宙環境装置用シュラウド装置において、前記フレームを内部を冷却流体が流通可能な金属パイプで形成し、前記シュラウドの冷却流体入口部から前記フレームの冷却流体出口に至る一つの連続した一筆書き状態の冷却流体流路を形成し、前記複数の冷却管、前記上部フレーム及び前記下部フレームを前記冷却流体の流れ方向に対して下りこう配のない水平方向に配置したことを特徴としている。
【０００７】
さらに、本発明の宇宙環境装置用シュラウド装置は、前記一つの連続した一筆書き状態の冷却流体流路が、前記複数の冷却管を連結した冷却管内流路と、前記フレームの金属パイプ内流路と、前記冷却管内流路と前記金属パイプ内流路とを接続する接続管とにより形成されていることを特徴としている。
【発明の効果】
【０００８】
本発明の宇宙環境装置用シュラウド装置によれば、フレームを冷却流体によって直接冷却することができるので、フレームと冷却管とを同程度の温度にすることができ、フレームからの伝熱、輻射の影響を防止することができる。また、冷却管で間接的にフレームを冷却する場合に比べて熱効率を高めることができるので、冷却流体の消費量を低減することができ、シュラウドの小型化も図れる。
【０００９】
特に、フレームに導入する冷却流体を冷却管から導出した冷却流体とすることにより、冷却流体の利用効率を向上させることができ、冷却流体の消費量を更に低減できる。さらに、複数の冷却管及びフレーム内の冷却流体の流路を、それぞれ一つの連続した流路で形成することにより、シュラウド全体の冷却を確実に行えるとともに、構造の簡略化が図れる。
【図面の簡単な説明】
【００１０】
【図１】本発明の宇宙環境装置用シュラウド装置の一形態例を示す斜視図である。
【図２】冷却流体の流れを示す説明図である。
【発明を実施するための形態】
【００１１】
本形態例に示す宇宙環境装置用のシュラウド装置１１は、直方体状に枠組みしたフレーム２１内にシュラウド１２を構成する複数の冷却管１２ａを配置したものであって、宇宙環境装置を構成する真空容器の内部には、このように形成した複数のシュラウド装置１１が所定位置にそれぞれ設けられている。
【００１２】
シュラウド１２の各冷却管１２ａは、軸線を水平方向に向けて設けられており、冷却流体入口部１３となる一つの冷却管の端部と、冷却流体出口部１４となる他の一つの冷却管の端部とを除いて、各冷却管１２ａの端部同士はＵ字状の連結管１２ｂによって連結されており、複数の冷却管１２ａの内部及び連結管１２ｂの内部には、冷却流体入口部１３から冷却流体出口部１４に至る一つの冷却管内流路が形成されている。
【００１３】
また、前記フレーム２１は、金属パイプ、例えば鋼製角パイプを溶接接合して形成したものであって、シュラウド１２の下部側に水平方向に設けられる長方形状の下部フレーム２１ａと、シュラウド１２の上部側に水平方向に設けられる長方形状の上部フレーム２１ｂと、下部フレーム２１ａ及び上部フレーム２１ｂの四隅部を相互に連結する鉛直方向の連結部材２１ｃとで形成されている。
【００１４】
下部フレーム２１ａ及び上部フレーム２１ｂは、四隅部を留め切りあるいは適宜な継手を用いて鋼製角パイプの内部が連通するように接合したものであって、下部フレーム２１ａ内には、下部冷却流体入口部２２から下部冷却流体出口部２３に至る一つの連続した金属パイプ内下部流路２４が形成され、上部フレーム２１ｂ内には、上部冷却流体入口部２５から上部冷却流体出口部２６に至る一つの連続した金属パイプ内上部流路２７が形成されている。また、下部フレーム２１ａの下部冷却流体出口部２３と上部フレーム２１ｂの上部冷却流体入口部２５とは、連結パイプ２８により連結されている。
【００１５】
これにより、フレーム２１には、下部フレーム２１ａの下部冷却流体入口部２２から金属パイプ内下部流路２４、下部冷却流体出口部２３、連結パイプ２８、上部フレーム２１ｂの上部冷却流体入口部２５、金属パイプ内上部流路２７、上部冷却流体出口部２６に至る一つの連続した金属パイプ内流路が形成される。
【００１６】
そして、シュラウド１２の冷却流体出口部１４と、下部フレーム２１ａの下部冷却流体入口部２２とを接続管１５にて接続することにより、シュラウド装置１１には、シュラウド１２の冷却流体入口部１３からフレーム２１の上部冷却流体出口部２６に至る一つの連続した一筆書き状態の冷却流体流路を形成している。
【００１７】
すなわち、冷却流体供給部から供給された冷却流体、例えば液体窒素は、入口ヘッダー管３１から各入口分岐管３２を介して冷却流体入口部１３から各シュラウド１２に導入され、シュラウド１２の冷却管内流路を流れた後、接続管１５を経てフレーム２１の金属パイプ内流路に流入する。シュラウド１２及びフレーム２１を冷却することによって気化した窒素ガスは、上部冷却流体出口部２６から導出され、各出口分岐管３３から出口ヘッダー管３４に合流して導出される。したがって、フレーム２１は、シュラウド１２を冷却後にシュラウド１２から導出された冷却流体である液体窒素あるいは液体窒素が気化した低温窒素ガスによって直接冷却されるため、フレーム２１をシュラウド１２と同程度の低温に冷却することができる。
【００１８】
これにより、供試体に対するフレーム２１からの伝熱や輻射の影響を大幅に軽減することができるとともに、液体窒素等の冷却流体の消費量を少なくすることができ、シュラウド１２の小型化を図ることができる。さらに、試験終了後などにシュラウド１２を加温するために使用する加温流体、例えば加温窒素ガスの消費量も低減することができ、シュラウドや供試体の冷却、加温に要するコストを大幅に削減することができる。
【００１９】
また、前述のように、シュラウド装置１１の冷却流体流路を一筆書き状態に形成することにより、シュラウド装置１１に温度分布が生じることはなく、シュラウド装置１１の唯一の流体出口である上部冷却流体出口部２６から導出される流体の温度を測定することにより、シュラウド全体が所定の温度に、確実に冷却又は加温されたことを知ることができる。
【００２０】
さらに、シュラウド１２の各冷却管１２ａや下部フレーム２１ａ及び上部フレーム２１ｂを、流体の流れ方向に対して下り勾配のない水平方向とし、また、連結パイプ２８を上向きの流れになるように設置することにより、冷却流体流路内で液体窒素が気化して発生した窒素ガスの気泡が液体窒素の流れを阻害することがないので、液体窒素のような冷却流体を冷却流体流路内に確実に流通させることができる。
【符号の説明】
【００２１】
１１…シュラウド装置、１２…シュラウド、１２ａ…冷却管、１２ｂ…連結管、１３…冷却流体入口部、１４…冷却流体出口部、１５…接続管、２１…フレーム、２１ａ…下部フレーム、２１ｂ…上部フレーム、２１ｃ…連結部材、２２…下部冷却流体入口部、２３…下部冷却流体出口部、２４…金属パイプ内下部流路、２５…上部冷却流体入口部、２６…上部冷却流体出口部、２７…金属パイプ内上部流路、２８…連結パイプ、３１…入口ヘッダー管、３２…入口分岐管、３３…出口分岐管、３４…出口ヘッダー管
【図１】
0005525192.tif 000002
【図２】
0005525192.tif 000003